(57)【要約】【課題】  エンハンスト個別物理制御チャネル（Ｅ-ＤＰＣＣＨ）の品質劣化によるエンハンスト個別物理データチャネル（Ｅ-ＤＰＤＣＨ）の受信誤りを低減し、過剰な送信電力オフセットによる回線容量の劣化を防ぐ。【解決手段】  本発明に係る移動通信システムは、上りリンクにおいて、移動局ＵＥから無線基地局ＮｏｄｅＢに対して、送信電力基準チャネル（ＤＰＣＣＨ）及び制御チャネル（Ｅ-ＤＰＣＣＨ）を送信するように構成されており、制御チャネルが送信電力基準チャネルに対する送信電力オフセットを有するように構成されている。無線基地局ＮｏｄｅＢは、移動局ＵＥに対して、制御チャネルに対応するデータチャネルの送達確認信号を送信するように構成されている。移動局ＵＥは、無線基地局ＮｏｄｅＢから送信された送達確認信号に応じて送信電力オフセットを制御するように構成されている。【選択図】  図１０
2006140650.tif 000002
【特許請求の範囲】
【請求項１】
上りリンクにおいて、移動局から無線基地局に対して、送信電力基準チャネル及び対象制御チャネルを送信するように構成されており、該対象制御チャネルが、該送信電力基準チャネルに対する送信電力オフセットを有するように構成されている移動通信システムであって、
前記無線基地局は、前記移動局に対して、前記対象制御チャネルに対応するデータチャネルの送達確認信号を送信するように構成されており、
前記移動局は、前記無線基地局から送信された送達確認信号に応じて、前記送信電力オフセットを制御するように構成されていることを特徴とする移動通信システム。
【請求項２】
前記無線基地局は、前記対象制御チャネルについて正しく復号した場合にのみ、前記データチャネルの受信及び復号結果を示す送達確認信号を送信するように構成されていることを特徴とする請求項１に記載の移動通信システム。
【請求項３】
前記移動局は、前記データチャネルの受信及び復号結果を示す前記送達確認信号を受信した場合に、前記送信電力オフセットを維持するか又は下げるように構成されており、所定期間内に、前記データチャネルの受信及び復号結果を示す前記送達確認信号を受信しない場合に、前記送信電力オフセットを上げるように構成されていることを特徴とする請求項２に記載の移動通信システム。
【請求項４】
前記移動局は、
（前記対象制御チャネルの所要の受信品質）×（所定の制御幅）
に基づいて、前記送信電力オフセットを上げるように構成されており、
（１−前記対象制御チャネルの所要の受信品質）×（前記所定の制御幅）
に基づいて、前記送信電力オフセットを下げるように構成されていることを特徴とする請求項３に記載の移動通信システム。
【請求項５】
前記対象制御チャネルの所要の受信品質及び前記所定の制御幅の少なくとも一方を、前記移動局に通知するように構成されている無線回線制御局を具備することを特徴とする請求項４に記載の移動通信システム。
【請求項６】
上りリンクにおいて、移動局から無線基地局に対して、送信電力基準チャネル及び対象制御チャネルを送信するように構成されており、該対象制御チャネルが、該送信電力基準チャネルに対する送信電力オフセットを有するように構成されている移動通信システムで用いられる移動局であって、
前記無線基地局から、前記対象制御チャネルに対応するデータチャネルの送達確認信号を受信し、該送達確認信号に応じて、前記送信電力オフセットを制御する送信電力オフセット制御部を具備することを特徴とする移動局。
【請求項７】
前記送信電力オフセット制御部は、前記データチャネルの受信及び復号結果を示す前記送達確認信号を受信した場合に、前記送信電力オフセットを維持するか又は下げるように構成されており、所定期間内に、前記データチャネルの受信及び復号結果を示す前記送達確認信号を受信しない場合に、前記送信電力オフセットを上げるように構成されていることを特徴とする請求項６に記載の移動局。
【請求項８】
前記送信電力オフセット制御部は、
（前記対象制御チャネルの所要の受信品質）×（所定の制御幅）
に基づいて、前記送信電力オフセットを上げるように構成されており、
（１−前記対象制御チャネルの所要の受信品質）×（前記所定の制御幅）
に基づいて、前記送信電力オフセットを下げるように構成されていることを特徴とする請求項７に記載の移動局。
【請求項９】
上りリンクにおいて、移動局から無線基地局に対して、送信電力基準チャネル及び対象制御チャネルを送信するように構成されており、該対象制御チャネルが、該送信電力基準チャネルに対する送信電力オフセットを有するように構成されている移動通信システムで用いられる無線基地局であって、
前記移動局に対して、前記対象制御チャネルについて正しく復号した場合にのみ、前記対象制御チャネルに対応するデータチャネルの受信及び復号結果を示す送達確認信号を送信するように構成されていることを特徴とする無線基地局。
【発明の詳細な説明】
【技術分野】
【０００１】
本発明は、上りリンクにおいて、移動局から無線基地局に対して、送信電力基準チャネル及び対象制御チャネルを送信するように構成されており、該対象制御チャネルが、該送信電力基準チャネルに対する送信電力オフセットを有するように構成されている移動通信システム、及び、かかる移動通信システムで用いられる移動局及び無線基地局に関する。
【０００２】
特に、本発明は、第３世代移動通信システムである「Ｗ-ＣＤＭＡ」方式の移動通信システムや「ＣＤＭＡ２０００」方式の移動通信システムに適応できる技術に関する。
【背景技術】
【０００３】
従来の移動通信システムでは、無線回線制御局ＲＮＣが、上りリンクにおける通信において、無線基地局ＮｏｄｅＢの無線リソースや、上りリンクにおける干渉量や、移動局ＵＥの送信電力や、移動局ＵＥの送信処理性能や、上位のアプリケーションが必要とする伝送速度等を鑑みて、個別チャネルの伝送速度を決定し、レイヤ３（Ｒａｄｉｏ  Ｒｅｓｏｕｒｃｅ  Ｃｏｎｔｒｏｌ  Ｌａｙｅｒ）のメッセージによって、移動局ＵＥ及び無線基地局ＮｏｄｅＢのそれぞれに対して、決定した個別チャネルの伝送速度を通知するように構成されている。
【０００４】
ここで、無線回線制御局ＲＮＣは、無線基地局ＮｏｄｅＢの上位に存在し、無線基地局ＮｏｄｅＢや移動局ＵＥを制御する装置である。
【０００５】
一般的に、データ通信は、音声通話やＴＶ通話と比べて、トラヒックがバースト的に発生することが多く、本来は、データ通信に用いられるチャネルの伝送速度を高速に変更することが望ましい。
【０００６】
しかしながら、無線回線制御局ＲＮＣは、図１２に示すように、通常、多くの無線基地局ＮｏｄｅＢを統括して制御しているため、従来の移動通信システムでは、処理負荷や処理遅延等の理由により、高速な（例えば、１〜１００ｍｓ程度の）チャネルの伝送速度の変更制御を行うことは困難であるという問題点があった。
【０００７】
また、従来の移動通信システムでは、高速なチャネルの伝送速度の変更制御を行うことができたとしても、装置の実装コストやネットワークの運用コストが大幅に高くなるという問題点があった。
【０００８】
そのため、従来の移動通信システムでは、数１００ｍｓ〜数ｓオーダーでのチャネルの伝送速度の変更制御を行うのが通例である。
【０００９】
したがって、従来の移動通信システムでは、図１３（ａ）に示すように、バースト的に送信データブロックを送信する場合、図１３（ｂ）に示すように、低速、高遅延及び低伝送効率を許容して、送信データブロックを送信するか、又は、図１３（ｃ）に示すように、高速通信用の無線リソースを確保して、空き時間の無線帯域リソースや無線基地局ＮｏｄｅＢにおけるハードウェアリソースが無駄になることを許容して、送信データブロックを送信することとなる。
【００１０】
なお、図１３（ｂ）及び（ｃ）において、縦軸の無線リソースには、上述の無線帯域リソース及びハードウェアリソースの両方が当てはめられるものとする。
【００１１】
そこで、無線リソースを有効利用するために、第３世代移動通信システムの国際標準化団体である「３ＧＰＰ」及び「３ＧＰＰ２」において、無線基地局ＮｏｄｅＢと移動局ＵＥとの間のレイヤ１及びＭＡＣサブレイヤ（レイヤ２）における高速な無線リソースの制御方法が検討されてきた。以下、かかる検討又は検討された機能を総称して「上り回線エンハンスメント（ＥＵＬ：Ｅｎｈａｎｃｅｄ  Ｕｐｌｉｎｋ）」と呼ぶこととする。
【００１２】
上り回線エンハンスメントでは、無線基地局ＮｏｄｅＢが、低位レイヤ（レイヤ１及びレイヤ２）において、上りリンクにおける通信に用いられるチャネルの伝送速度を高速に制御することで、セルのスループットを上げることができる。
【００１３】
具体的には、図１４に示すように、無線基地局ＮｏｄｅＢが、上りリンクにおける通信に用いられるチャネルの「ノイズライズ」を測定し、当該チャネルのノイズライズが最大許容ノイズライズに近いレベルに収束するように、当該チャネルの伝送速度を逐次制御するように構成されている。
【００１４】
ここで、ノイズライズは、所定周波数内の所定チャネルにおける干渉電力と、当該所定周波数内の雑音電力（熱雑音電力や移動通信システム外からの雑音電力）との比である。すなわち、ノイズライズは、通信を行っている状態の受信レベルが、通信を行っていない状態の受信レベル（ノイズフロア）に対して有するオフセットである。
【００１５】
なお、本明細書では、上り回線エンハンスメントが適用されているチャネルを「エンハンストチャネル」と呼ぶ（例えば、上り回線エンハンスメントが適用されている個別チャネルを「エンハンスト個別チャネル」と呼ぶ）。
【００１６】
図１５に、上り回線エンハンスメントが適用されている移動通信システムで用いられる上りリンクのチャネル構成を示す。
【００１７】
かかる移動通信システムでは、上りリンクにおいて、エンハンスト個別物理チャネル（Ｅ-ＤＰＣＨ：Ｅｎｈａｎｃｅｄ  Ｄｅｄｉｃａｔｅｄ  Ｐｈｙｓｉｃａｌ  Ｃｈａｎｎｅｌ）及び個別物理チャネル（ＤＰＣＨ：Ｄｅｄｉｃａｔｅｄ  Ｐｈｙｓｉｃａｌ  Ｃｈａｎｎｅｌ）が送信されるように構成されている。
【００１８】
エンハンスト個別物理チャネル（Ｅ-ＤＰＣＨ）は、エンハンスト個別物理データチャネル（Ｅ-ＤＰＤＣＨ：Ｅｎｈａｎｃｅｄ  Ｄｅｄｉｃａｔｅｄ  Ｐｈｙｓｉｃａｌ  Ｄａｔａ  Ｃｈａｎｎｅｌ）と、エンハンスト個別物理制御チャネル（Ｅ-ＤＰＣＣＨ：Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）とによって構成されている。
【００１９】
また、個別物理チャネル（ＤＰＣＨ）は、個別物理データチャネル（ＤＰＤＣＨ：Ｄｅｄｉｃａｔｅｄ  Ｐｈｙｓｉｃａｌ  Ｄａｔａ  Ｃｈａｎｎｅｌ）と、個別物理制御チャネル（ＤＰＣＣＨ：Ｄｅｄｉｃａｔｅｄ  Ｐｈｙｓｉｃａｌ  Ｃｏｎｔｒｏｌ  Ｃｈａｎｎｅｌ）とによって構成されている。
【００２０】
エンハンスト個別物理制御チャネル（Ｅ-ＤＰＣＣＨ）は、エンハンスト個別物理データチャネル（Ｅ-ＤＰＤＣＨ）の送信フォーマット（送信データブロックサイズ等）に関する情報やＨＡＲＱに関する情報（再送回数や再送番号等）やスケジューリングに関する情報（移動局ＵＥにおける送信電力やバッファ滞留量等）等のエンハンスト個別物理チャネル（Ｅ-ＤＰＣＨ）用制御データを送信するように構成されている。なお、エンハンスト個別物理制御チャネル（Ｅ-ＤＰＣＣＨ）は、エンハンスト個別物理データチャネル（Ｅ-ＤＰＤＣＨ）において送信すべきユーザデータがある場合にのみ送信されるように構成されている。
【００２１】
エンハンスト個別物理データチャネル（Ｅ-ＤＰＤＣＨ）は、エンハンスト個別物理制御チャネル（Ｅ-ＤＰＣＣＨ）に対応しており、当該エンハンスト個別物理制御チャネル（Ｅ-ＤＰＣＣＨ）によって送信されるエンハンスト個別物理チャネル（Ｅ-ＤＰＣＨ）用制御データに基づいて、ユーザデータを送信するように構成されている。なお、エンハンスト個別物理データチャネル（Ｅ-ＤＰＤＣＨ）は、送信すべきユーザデータがある場合にのみ送信されるように構成されている。
【００２２】
個別物理制御チャネル（ＤＰＣＣＨ）は、パイロットシンボルや個別物理チャネル（ＤＰＣＨ）の送信フォーマット識別子や下りリンク用の送信電力制御ビット等の個別物理制御チャネル（ＤＰＣＣＨ）用制御データを送信するように構成されている。なお、個別物理制御チャネル（ＤＰＣＣＨ）は常時送信されるように構成されている。
【００２３】
個別物理データチャネル（ＤＰＤＣＨ）は、個別物理制御チャネル（ＤＰＣＣＨ）に対応しており、当該個別物理制御チャネル（ＤＰＣＣＨ）によって送信される個別物理制御チャネル（ＤＰＣＣＨ）用制御データに基づいて、ユーザデータを送信するように構成されている。なお、個別物理データチャネル（ＤＰＤＣＨ）は、送信すべきユーザデータがある場合にのみ送信されるように構成されていてもよい。
【００２４】
上り回線エンハンスメントが適用されている場合、無線基地局ＮｏｄｅＢは、個別物理制御チャネル（ＤＰＣＣＨ）のパイロットシンボル部分のＳＩＲに基づく閉ループ送信電力制御を行うように構成されている。
【００２５】
すなわち、上り回線エンハンスメントが適用されている移動通信にステムでは、エンハンスト個別物理制御チャネル（Ｅ-ＤＰＣＣＨ）、エンハンスト個別物理データチャネル（Ｅ-ＤＰＤＣＨ）及び個別物理データチャネル（ＤＰＤＣＨ）は、個別物理制御チャネル（ＤＰＣＣＨ）に対する所要の送信電力オフセットを有し、個別物理制御チャネル（ＤＰＣＣＨ）の送信電力が変動した場合であっても、所要の送信電力オフセットを維持しながら通信を行うように構成されている。
【００２６】
また、上り回線エンハンスメントでは、ハイブリッドＡＲＱ（Ａｕｔｏ  Ｒｅｐｅａｔ  ｒｅＱｕｅｓｔ。以下、ＨＡＲＱとする。）が適用されている。
【００２７】
ＨＡＲＱは、図１６に示すように、データ受信側装置（無線基地局ＮｏｄｅＢ又は移動局ＵＥ）が、受信した送信データブロックに対して、送達確認信号（Ａｃｋ又はＮａｃｋ）を、データ送信側装置（移動局ＵＥ又は無線基地局ＮｏｄｅＢ）に送信する。
【００２８】
通常、データ送信側装置は、送信データブロック（例えば、送信データブロック＃１）が正しく受信されたことを示す送達確認信号（Ａｃｋ）を受信した場合にのみ、次の送信データブロック（例えば、送信データブロック＃２）を送信する。
【００２９】
一方、データ送信側装置は、送信データブロックが正しく受信出来なかったことを示す送達確認信号（Ｎａｃｋ）を受信した場合には、再度、当該送信データブロックの送信を行う。
【００３０】
さらに、ＨＡＲＱでは、図１７に示すように、ソフトコンバイニングを行うことが可能である。図１７を参照して、ソフトコンバイニングの動作原理について簡単に説明する。
【００３１】
ステップＳ１０１において、データ送信側装置は、３ビットからなる送信データブロックを送信し、ステップＳ１０２において、データ受信側装置は、受信した送信データブロックに対して復号処理を施す。この際、データ受信側装置は、受信誤りを検出したものとする（ステップＳ１０３参照）。ここで、データ受信側装置は、受信誤りを検出した送信データブロックを構成する３ビットを軟判定ビットとしてメモリに格納する。
【００３２】
ステップＳ１０４において、データ送信側装置は、３ビットからなる送信データブロックを再送し、ステップＳ１０５において、データ受信側装置は、メモリに格納していた軟判定ビットと、受信した送信データブロックを構成する３ビットとを加算して、信号電力対雑音電力比を高くする。その結果、データ受信側装置は、受信誤りを検出することなく、送信データブロックの受信に成功する（ステップＳ１０６参照）。
【００３３】
また、ＨＡＲＱでは、送達確認信号が帰ってくるまでの間に、次の送信データブロック以降の送信データブロックを送信することで、無線リンクの使用効率を改善することができる。そのための簡単な方法として、ストップアンドウエイトが知られている。図１８を参照して、４プロセスのストップアンドウエイトの動作原理について簡単に説明する。
【００３４】
図１８に示すように、データ送信側装置が、送信データブロックを送信した後、当該送信データブロックの送達確認信号を受信するまでに、タイムラグが発生する。図１８の例では、かかるタイムラグが、送信データブロックの伝送時間の２倍以上３倍以下となっているため、当該送信データブロックを再送するタイミングを、３送信データブロック後としている。
【００３５】
この場合は、図１８に示すように、４個のＨＡＲＱが並列に動作していると見なすことができ、これを４プロセスのストップアンドウエイトという。
【００３６】
送信データブロックの伝送時間や、送達確認信号を受信するまでのタイムラグや、データ送信側装置及びデータ受信側装置での処理遅延等により、並列に動作させるＨＡＲＱの数Ｎを決定するため、Ｎプロセスのストップアンドウエイト（Ｎ  Ｐｒｏｃｅｓｓ  Ｓｔｏｐ  ａｎｄ  Ｗａｉｔ）と呼ばれる。
【非特許文献１】立川敬二監修、「Ｗ-ＣＤＭＡ移動通信方式」、丸善株式会社
【非特許文献２】３ＧＰＰ  ＴＲ２５.８９６  ｖ６.０.０
【発明の開示】
【発明が解決しようとする課題】
【００３７】
しかしながら、所要の送信電力オフセットは、厳密には、伝播環境やソフトハンドオーバー（ＳＨＯ）状態の有無等に応じて異なりうる。
【００３８】
このため、従来の移動通信システムでは、無線回線制御局ＲＮＣが、伝播環境の変動やソフトハンドオーバーの開始又は終了等に応じて、レイヤ３信号を通知することによって、所要の送信電力オフセット（Ｅ-ＤＰＤＣＨパワーオフセットやＥ-ＤＰＣＣＨパワーオフセットやＤＰＤＣＨパワーオフセット）を変更するように構成されていた。
【００３９】
図１９に、上り回線エンハンスメントが適用された移動通信システムにおいて、ハンドオーバー状態のエンハンスト個別物理チャネルの接続形態を示す。
【００４０】
図１９に示すように、エンハンスト個別物理データチャネル（Ｅ-ＤＰＤＣＨ）は、ソフトハンドオーバーを行っているが、エンハンスト個別物理制御チャネル（Ｅ-ＤＰＣＣＨ）は、各無線基地局ＮｏｄｅＢ＃１及び＃２で終端されている。
【００４１】
ここで、各無線基地局ＮｏｄｅＢ＃１及び＃２は、無線回線制御局ＲＮＣで選択合成されたエンハンスト個別物理データチャネル（Ｅ-ＤＰＤＣＨ）の受信品質によって送信電力制御（ＴＰＣ）実行するように構成されているため、各無線基地局ＮｏｄｅＢ＃１及び＃２で終端するエンハンスト個別物理制御チャネル（Ｅ-ＤＰＣＣＨ）は、常に受信電力が足りない状況となる。
【００４２】
したがって、従来の上り回線エンハンスメントが適用された移動通信システムでは、ハンドオーバー状態において、Ｅ-ＤＰＣＣＨパワーオフセットを、通常の値よりも大きくしなければならないという問題点があった。
【００４３】
さらに、エンハンスト個別物理制御チャネル（Ｅ-ＤＰＣＣＨ）は、エンハンスト個別物理データチャネル（Ｅ-ＤＰＤＣＨ）が送信される場合にのみ送信される間欠送信を適用しているため、無線基地局ＮｏｄｅＢは、エンハンスト個別物理制御チャネル（Ｅ-ＤＰＣＣＨ）の受信品質を把握することが出来ない場合がある。
【００４４】
したがって、従来の上り回線エンハンスメントが適用された移動通信システムでは、エンハンスト個別物理制御チャネル（Ｅ-ＤＰＣＣＨ）を、考えうる最大の所要の送信電力オフセットに設定するか、又は、ハンドオーバー状態に変化があった場合に、無線回線制御局ＲＮＣが、レイヤ３信号によってＥ-ＤＰＣＣＨパワーオフセットを変更するという方法のいずれかを採用しなければならないという問題点があった。
【００４５】
そこで、本発明は、以上の点に鑑みてなされたもので、エンハンスト個別物理制御チャネル（Ｅ-ＤＰＣＣＨ）の品質劣化によるエンハンスト個別物理データチャネル（Ｅ-ＤＰＤＣＨ）の受信誤りを低減し、過剰な送信電力オフセットによる回線容量の劣化を防ぐことが可能な移動通信システム、移動局及び無線基地局を提供することを目的とする。
【課題を解決するための手段】
【００４６】
本発明の第１の特徴は、上りリンクにおいて、移動局から無線基地局に対して、送信電力基準チャネル（ＤＰＣＣＨ）及び対象制御チャネル（Ｅ-ＤＰＣＣＨ）を送信するように構成されており、該対象制御チャネルが、該送信電力基準チャネルに対する送信電力オフセットを有するように構成されている移動通信システムであって、前記無線基地局は、前記移動局に対して、前記対象制御チャネルに対応するデータチャネル（Ｅ-ＤＰＤＣＨ）の送達確認信号を送信するように構成されており、前記移動局は、前記無線基地局から送信された送達確認信号に応じて、前記送信電力オフセットを制御するように構成されていることを要旨とする。
【００４７】
本発明の第１の特徴において、前記無線基地局が、前記対象制御チャネルについて正しく復号した場合にのみ、前記データチャネルの受信及び復号結果を示す送達確認信号を送信するように構成されていてもよい。
【００４８】
本発明の第１の特徴において、前記移動局が、前記データチャネルの受信及び復号結果を示す前記送達確認信号を受信した場合に、前記送信電力オフセットを維持するか又は下げるように構成されており、所定期間内に、前記データチャネルの受信及び復号結果を示す前記送達確認信号を受信しない場合に、前記送信電力オフセットを上げるように構成されていてもよい。
【００４９】
本発明の第１の特徴において、前記移動局が、「（前記対象制御チャネルの所要の受信品質）×（所定の制御幅）」に基づいて、前記送信電力オフセットを上げるように構成されており、「（１−前記対象制御チャネルの所要の受信品質）×（前記所定の制御幅）」に基づいて、前記送信電力オフセットを下げるように構成されていてもよい。
【００５０】
本発明の第１の特徴において、前記対象制御チャネルの所要の受信品質及び前記所定の制御幅の少なくとも一方を、前記移動局に通知するように構成されている無線回線制御局を具備してもよい。
【００５１】
本発明の第２の特徴は、上りリンクにおいて、移動局から無線基地局に対して、送信電力基準チャネル及び対象制御チャネルを送信するように構成されており、該対象制御チャネルが、該送信電力基準チャネルに対する送信電力オフセットを有するように構成されている移動通信システムで用いられる移動局であって、前記無線基地局から、前記対象制御チャネルに対応するデータチャネルの送達確認信号を受信し、該送達確認信号に応じて、前記送信電力オフセットを制御する送信電力オフセット制御部を具備することを要旨とする。
【００５２】
本発明の第２の特徴において、前記送信電力オフセット制御部が、前記データチャネルの受信及び復号結果を示す前記送達確認信号を受信した場合に、前記送信電力オフセットを維持するか又は下げるように構成されており、所定期間内に、前記データチャネルの受信及び復号結果を示す前記送達確認信号を受信しない場合に、前記送信電力オフセットを上げるように構成されていてもよい。
【００５３】
本発明の第２の特徴において、前記送信電力オフセット制御部が、「（前記対象制御チャネルの所要の受信品質）×（所定の制御幅）」に基づいて、前記送信電力オフセットを上げるように構成されており、「（１−前記対象制御チャネルの所要の受信品質）×（前記所定の制御幅）」に基づいて、前記送信電力オフセットを下げるように構成されていてもよい。
【００５４】
本発明の第３の特徴は、上りリンクにおいて、移動局から無線基地局に対して、送信電力基準チャネル及び対象制御チャネルを送信するように構成されており、該対象制御チャネルが、該送信電力基準チャネルに対する送信電力オフセットを有するように構成されている移動通信システムで用いられる無線基地局であって、前記移動局に対して、前記対象制御チャネルについて正しく復号した場合にのみ、前記制御チャネルに対応するデータチャネルの受信及び復号結果を示す送達確認信号を送信するように構成されていることを要旨とする。
【発明の効果】
【００５５】
以上説明したように、本発明によれば、エンハンスト個別物理制御チャネル（Ｅ-ＤＰＣＣＨ）の品質劣化によるエンハンスト個別物理データチャネル（Ｅ-ＤＰＤＣＨ）の受信誤りを低減し、過剰な送信電力オフセットによる回線容量の劣化を防ぐことが可能な移動通信システム、移動局及び無線基地局を提供することができる。
【発明を実施するための最良の形態】
【００５６】
（本発明の第１の実施形態に係る移動通信システムの構成）
図１乃至図８、図１２を参照して、本発明の第１の実施形態に係る移動通信システムの構成について説明する。図１２に示すように、本実施形態に係る移動通信システムは、複数の移動局ＵＥ＃１乃至＃８と、複数の無線基地局ＮｏｄｅＢ＃１乃至＃５と、無線回線制御局ＲＮＣとを具備している。
【００５７】
また、本実施形態に係る移動通信システムでは、下りリンクにおいて「ＨＳＤＰＡ」が用いられており、上りリンクにおいて「ＥＵＬ（上り回線エンハンスメント）」が用いられている。なお、「ＨＳＤＰＡ」及び「ＥＵＬ」の両者において、ＨＡＲＱによる再送制御が行われるものとする。
【００５８】
また、上りリンクでは、ＨＳＰＤＡが適用されている場合に必要な高速個別物理制御チャネル（ＨＳ-ＤＰＣＣＨ：Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）や、ランダムアクセスチャネル（ＲＡＣＨ）も用いられている。
【００５９】
高速個別物理制御チャネル（ＨＳ-ＤＰＣＣＨ）は、下り品質識別子（ＣＱＩ：ＣＰＩＣＨ  Ｑｕａｌｉｔｙ  Ｉｎｄｉｃａｔｏｒ）や、高速個別物理データチャネル用送達確認信号（Ａｃｋ又はＮａｃｋ）を送信する。
【００６０】
したがって、本実施形態に係る移動通信システムでは、上りリンクにおいて、移動局ＵＥから無線基地局ＮｏｄｅＢに対して、個別物理制御チャネル（ＤＰＣＣＨ、送信電力基準チャネル）と、個別物理データチャネル（ＤＰＤＣＨ）と、エンハンスト個別物理制御チャネル（Ｅ-ＤＰＣＣＨ、対象制御チャネル）と、エンハンスト個別物理データチャネル（Ｅ-ＤＰＤＣＨ）とを送信するように構成されている。
【００６１】
ここで、個別物理データチャネル（ＤＰＤＣＨ）は、個別物理制御チャネル（ＤＰＣＣＨ）に対して、ＤＰＤＣＨパワーオフセット（送信電力オフセット）を有しており、エンハンスト個別物理制御チャネル（Ｅ-ＤＰＣＣＨ、対象制御チャネル）は、個別物理制御チャネル（ＤＰＣＣＨ）に対して、Ｅ-ＤＰＣＣＨパワーオフセット（送信電力オフセット）を有しており、エンハンスト個別物理データチャネル（Ｅ-ＤＰＤＣＨ）は、個別物理制御チャネル（ＤＰＣＣＨ）に対して、Ｅ-ＤＰＤＣＨパワーオフセット（送信電力オフセット）を有している。
【００６２】
図１に示すように、本実施形態に係る無線基地局ＮｏｄｅＢは、ＨＷＹインターフェース１１と、ベースバンド信号処理部１２と、呼制御部１３と、１つ又は複数の送受信部１４と、１つ又は複数のアンプ部１５と、１つ又は複数の送受信アンテナ１６とを備える。
【００６３】
ＨＷＹインターフェース１１は、無線回線制御局ＲＮＣとのインターフェースである。具体的には、ＨＷＹインターフェースは、無線回線制御局ＲＮＣから、下りリンクを介して移動局ＵＥに送信するユーザデータを受信して、ベースバンド信号処理部１３に入力するように構成されている。また、ＨＷＹインターフェース１１は、無線回線制御局ＲＮＣから、無線基地局ＮｏｄｅＢに対する制御データを受信して、呼制御部１３に入力するように構成されている。
【００６４】
また、ＨＷＹインターフェース１１は、ベースバンド信号処理部から、上りリンクを介して移動局ＵＥから受信した上りリンク信号に含まれるユーザデータを取得して、無線回線制御局ＲＮＣに送信するように構成されている。さらに、ＨＷＹインターフェース１１は、無線回線制御局ＲＮＣに対する制御データを呼制御部１３から取得して、無線制御装置ＲＮＣに送信するように構成されている。
【００６５】
ベースバンド信号処理部１２は、ＨＷＹインターフェース１１から取得したユーザデータに対して、ＭＡＣレイヤ処理及びレイヤ１処理を施してベースバンド信号を生成して、送受信部１４に転送するように構成されている。
【００６６】
ここで、下りリンクにおけるＭＡＣレイヤ処理には、スケジューリング処理や伝送速度制御処理等が含まれる。また、下りリンクにおけるレイヤ１処理には、ユーザデータのチャネル符号化処理や拡散処理等が含まれる。
【００６７】
また、ベースバンド信号処理部１２は、送受信部１４から取得したベースバンドに対して、ＭＡＣレイヤ処理及びレイヤ１処理を施してユーザデータを抽出して、ＨＷＹインターフェース１１に転送するように構成されている。
【００６８】
ここで、上りリンクにおけるＭＡＣレイヤ処理には、ＭＡＣ制御処理やヘッダ廃棄処理等が含まれる。また、下りリンクにおけるレイヤ１処理には、逆拡散処理やＲＡＫＥ合成処理や誤り訂正復号処理等が含まれる。
【００６９】
なお、ベースバンド信号処理部１２の具体的な機能については後述する。また、呼制御部１３は、ＨＷＹインターフェース１１から取得した制御データに基づいて呼制御処理を行うものである。
【００７０】
送受信部１４は、ベースバンド信号処理部１２から取得したベースバンド信号を無線周波数帯の信号（下りリンク信号）に変換する処理を施してアンプ部１５に送信するように構成されている。また、送受信部１４は、アンプ部１５から取得した無線周波数帯の信号（上りリンク信号）をベースバンド信号に変換する処理を施してベースバンド信号処理部１２に送信するように構成されている。
【００７１】
アンプ部１５は、送受信部１４から取得した下りリンク信号を増幅して、送受信アンテナ１６を介して移動局ＵＥに送信するように構成されている。また、アンプ部１５は、送受信アンテナ１６によって受信された上りリンク信号を増幅して、送受信部１４に送信するように構成されている。
【００７２】
図２に示すように、ベースバンド信号処理部１２は、上りリンク用構成１２＃１として、ＤＰＣＣＨ  ＲＡＫＥ部１２ａと、ＤＰＤＣＨ  ＲＡＫＥ部１２ｂと、Ｅ-ＤＰＣＣＨ  ＲＡＫＥ部１２ｃと、Ｅ-ＤＰＤＣＨ  ＲＡＫＥ部１２ｄと、ＨＳ-ＤＰＣＣＨ  ＲＡＫＥ部１２ｅと、ＲＡＣＨ処理部１２ｆと、ＴＦＣＩデコーダ部１２ｇと、バッファ１２ｈ、１２ｍと、再逆拡散部１２ｉ、１２ｎと、ＦＥＣデコーダ部１２ｊ、１２ｏと、Ｅ-ＤＰＣＣＨデコーダ部１２ｋと、ＭＡＣ-ｅ機能部１２ｌと、ＭＡＣ-ｈｓ機能部１２ｐとを具備している。
【００７３】
Ｅ-ＤＰＣＣＨ  ＲＡＫＥ部１２ｃは、送受信部１４から送信されたベースバンド信号内のエンハンスト個別物理制御チャネル（Ｅ-ＤＰＣＣＨ）に対して、逆拡散処理と、個別物理制御チャネル（ＤＰＣＣＨ）に含まれているパイロットシンボルを用いたＲＡＫＥ合成処理を施すように構成されている。
【００７４】
Ｅ-ＤＰＣＣＨデコーダ部１２ｋは、Ｅ-ＤＰＣＣＨ  ＲＡＫＥ部１２ｃのＲＡＫＥ合成出力に対して復号処理を施して、送信フォーマット番号やＨＡＲＱに関する情報やスケジューリングに関する情報等を取得して、ＭＡＣ-ｅ機能部１２ｌに入力するように構成されている。
【００７５】
Ｅ-ＤＰＤＣＨ  ＲＡＫＥ部１２ｄは、送受信部１４から送信されたベースバンド信号内のエンハンスト個別物理データチャネル（Ｅ-ＤＰＤＣＨ）に対して、ＭＡＣ-ｅ機能部１２ｌから送信されたコード数を用いた逆拡散処理と、個別物理制御チャネル（ＤＰＣＣＨ）に含まれているパイロットシンボルを用いたＲＡＫＥ合成処理を施すように構成されている。
【００７６】
バッファ１２ｍは、ＭＡＣ-ｅ機能部１２ｌから送信されたシンボル数に基づいて、Ｅ-ＤＰＤＣＨ  ＲＡＫＥ部１２ｄのＲＡＫＥ合成出力を蓄積するように構成されている。
【００７７】
再逆拡散部１２ｎは、ＭＡＣ-ｅ機能部１２ｌから送信された拡散率に基づいて、バッファ１２ｍに蓄積されているＥ-ＤＰＤＣＨ  ＲＡＫＥ部１２ｄのＲＡＫＥ合成出力に対して、逆拡散処理を施すように構成されている。
【００７８】
ＦＥＣデコーダ部１２ｏは、ＭＡＣ-ｅ機能部１２ｌから送信された送信データブロックサイズに基づいて、再逆拡散部１２ｎの出力に対して誤り訂正復号処理（ＦＥＣ復号処理）を施すように構成されている。
【００７９】
ＭＡＣ-ｅ機能部１２ｌは、Ｅ-ＤＰＣＣＨデコーダ部１２ｋから取得した送信フォーマット番号やＨＡＲＱに関する情報やスケジューリングに関する情報等に基づいて送信フォーマット情報（コード数やシンボル数や拡散率や送信データブロックサイズ等）を算出して出力するように構成されている。
【００８０】
また、ＭＡＣ-ｅ機能部１２ｌは、図３に示すように、受信処理部１２ｌ１と、ＨＡＲＱ処理部１２ｌ２と、スケジューリング部１２ｌ３とを具備している。
【００８１】
受信処理部１２ｌ１は、Ｅ-ＤＰＣＣＨデコーダ部１２ｏから入力されたＨＡＲＱに関する情報や、ＦＥＣデコーダ部１２ｋから入力されたユーザデータを、ＨＡＲＱ処理部１２ｌ２に送信するように構成されている。
【００８２】
また、受信処理部１２ｌ１は、Ｅ-ＤＰＣＣＨデコーダ部１２ｏから入力されたスケジューリングに関する情報を、スケジューリング部１２ｌ３に送信するように構成されている。
【００８３】
さらに、受信処理部１２ｌ１は、Ｅ-ＤＰＣＣＨデコーダ部１２ｏから入力された送信フォーマット番号に対応する送信フォーマット情報を出力するように構成されている。
【００８４】
ＨＡＲＱ処理部１２ｌ２は、ＣＲＣ誤り検出処理等によって、エンハンスト個別物理制御チャネル（Ｅ-ＤＰＣＣＨ）が正しく復号されたか否かについて判定するように構成されている。
【００８５】
また、ＨＡＲＱ処理部１２ｌ２は、ＣＲＣ誤り検出処理等によって、エンハンスト個別物理制御チャネル（Ｅ-ＤＰＣＣＨ）及びエンハンスト個別物理データチャネル（Ｅ-ＤＰＤＣＨ）が正しく受信及び復号されたか否かについて判定するように構成されている。
【００８６】
ＨＡＲＱ処理部１２ｌ２は、エンハンスト個別物理データチャネル（Ｅ-ＤＰＤＣＨ）の受信及び復号結果を示す送達確認信号（Ａｃｋ又はＮａｃｋ）を生成して、ベースバンド信号処理部１２（下りリンク用構成）１２＃２に送信するように構成されている。
【００８７】
また、ＨＡＲＱ処理部１２ｌ２は、エンハンスト個別物理データチャネル（Ｅ-ＤＰＤＣＨ）の受信及び復号結果がＯＫであった場合、かかるエンハンスト個別物理データチャネル（Ｅ-ＤＰＤＣＨ）によって送信されたユーザデータを無線回線制御局ＲＮＣに送信するように構成されている。
【００８８】
ここで、ＨＡＲＱ処理部１２ｌ２は、エンハンスト個別物理制御チャネル（Ｅ-ＤＰＣＣＨ）について正しく受信及び復号した場合にのみ、エンハンスト個別物理データチャネル（Ｅ-ＤＰＤＣＨ）の受信及び復号結果を示す送達確認信号（ＡＣＫ又はＮａｃｋ）を送信するように構成されている。
【００８９】
一方、ＨＡＲＱ処理部１２ｌ２は、エンハンスト個別物理制御チャネル（Ｅ-ＤＰＣＣＨ）について正しく受信及び復号できなかった場合、エンハンスト個別物理データチャネル（Ｅ-ＤＰＤＣＨ）の受信及び復号結果を示す送達確認信号（ＡＣＫ又はＮａｃｋ）を送信しないように構成されている。
【００９０】
例えば、ＨＡＲＱ処理部１２ｌ２は、エンハンスト個別物理制御チャネル（Ｅ-ＤＰＣＣＨ）について正しく受信及び復号できなかった場合、送達確認信号自体を送信しないように構成されていてもよいし、エンハンスト個別物理データチャネル（Ｅ-ＤＰＤＣＨ）の受信及び復号結果を示すＡｃｋ又はＮａｃｋを設定するビット部分に、エンハンスト個別物理データチャネル（Ｅ-ＤＰＤＣＨ）の受信及び復号結果を送信しない旨を示す「ＤＴＸ」を設定した送達確認信号を送信するように構成されていてもよい。
【００９１】
スケジューリング部１２ｌ３は、受信したスケジューリングに関する情報等に基づいて、各移動局ＵＥにおいて送信の可否や、各移動局における伝送速度（送信データブロックサイズ）や、各移動局ＵＥにおける最大許容送信電力（Ｅ-ＤＰＣＣＨやＥ-ＤＰＤＣＨの最大許容送信電力）等を決定して、ベースバンド信号処理部１２（下りリンク用構成）１２＃２に送信する。
【００９２】
なお、スケジューリング部１２ｌ３は、上りリンクの混雑度や無線品質等に基づいて、送信データブロックサイズを決定するように構成されていてもよい。また、スケジューリング部１２ｌ３は、移動局の最大送信電力の能力によって、最大許容送信電力に対して上限を設けるように構成されていてもよい。
【００９３】
図４に示すように、本実施形態に係る移動局ＵＥは、バスインターフェース３１と、呼処理部３２と、ベースバンド処理部３３と、ＲＦ部３４と、送受信アンテナ３６とを具備している。
【００９４】
ただし、かかる機能は、ハードウェアとして独立して存在していてもよいし、一部又は全部が一体化していてもよいし、ソフトウェアのプロセスによって構成されていてもよい。
【００９５】
バスインターフェース３１は、呼処理部３２から出力されたユーザデータを他の機能部（例えば、アプリケーションに関する機能部）に転送するように構成されている。また、バスインターフェース３１は、他の機能部（例えば、アプリケーションに関する機能部）から送信されたユーザデータを呼処理部３２に転送するように構成されている。
【００９６】
呼処理部３２は、ユーザデータを送受信するための呼制御処理を行うように構成されている。
【００９７】
ベースバンド信号処理部３３は、ＲＦ部３４から送信されたベースバンド信号に対して、逆拡散処理やＲＡＫＥ合成処理やＦＥＣ復号処理を含むレイヤ１処理と、ＭＡＣ-ｅ処置やＭＡＣ-ｄ処理を含むＭＡＣ処理と、ＲＬＣ処理とを施して取得したユーザデータを呼処理部３２に送信するように構成されている。
【００９８】
また、ベースバンド信号処理部３３は、呼処理部３２から送信されたユーザデータに対してＲＬＣ処理やＭＡＣ処理やレイヤ１処理を施してベースバンド信号を生成してＲＦ部３４に送信するように構成されている。
【００９９】
なお、ベースバンド信号処理部３３の具体的な機能については後述する。ＲＦ部３４は、送受信アンテナ３５を介して受信した無線周波数帯の信号に対して、検波処理やフィルタリング処理や量子化処理等を施してベースバンド信号を生成して、ベースバンド信号処理部３３に送信するように構成されている。また、ＲＦ部３４は、ベースバンド信号処理部３３から送信されたベースバンド信号を無線周波数帯の信号に変換するように構成されている。
【０１００】
図５に示すように、ベースバンド信号処理部３３は、ＲＬＣ処理部３３ａと、ＭＡＣ-ｄ処理部３３ｂと、ＭＡＣ-ｅ処理部３３ｃと、レイヤ１処理部３３ｄとを具備している。
【０１０１】
ＲＬＣ処理部３３ａは、呼処理部３２から送信されたユーザデータに対して、レイヤ２の上位レイヤにおける処理を施して、ＭＡＣ-ｄ処理部３３ｂに送信するように構成されている。
【０１０２】
ＭＡＣ-ｄ処理部３３ｂは、チャネル識別子ヘッダを付与し、上りリンクにおける送信電力の限度に基づいて、上りリンクにおける送信フォーマットを作成するように構成されている。
【０１０３】
図７に示すように、ＭＡＣ-ｅ処理部３３ｃは、Ｅ-ＴＦＣ選択部３３ｃ１と、ＨＡＲＱ処理部３３ｃ２と、Ｅ-ＤＰＣＣＨパワーオフセット決定部３３ｃ３とを具備している。
【０１０４】
Ｅ-ＴＦＣ選択部３３ｃ１は、無線基地局ＮｏｄｅＢから送信されたスケジューリング信号に基づいて、エンハンスト個別物理データチャネル（Ｅ-ＤＰＤＣＨ）及びエンハンスト個別物理制御チャネル（Ｅ-ＤＰＣＣＨ）の再送フォーマットを決定するように構成されている。
【０１０５】
また、Ｅ-ＴＦＣ選択部３３ｃ１は、決定した再送フォーマットを示すＥ-ＴＦＣ（送信フォーマット情報）をレイヤ１処理部３３ｄに送信すると共に、決定した送信データブロックサイズ（又は、エンハンスト個別物理データチャネル（Ｅ-ＤＰＤＣＨ）とエンハンスト個別物理制御チャネル（Ｅ-ＤＰＣＣＨ）との送信電力比）をＨＡＲＱ処理部３３ｃ２に送信する。
【０１０６】
ここで、スケジューリング信号は、送信データブロックサイズを指定するものであってもよいし、エンハンスト個別物理データチャネル（Ｅ-ＤＰＤＣＨ）とエンハンスト個別物理制御チャネル（Ｅ-ＤＰＣＣＨ）との送信電力比を指定するものであってもよいし、単にＵＰ/ＤＯＷＮを指示するものであってもよい。
【０１０７】
ＨＡＲＱ処理部３３ｃ２は、「４プロセスのストップアンドウエイト（Ｎ  ｐｒｏｃｅｓｓ  Ｓｔｏｐ  ａｎｄ  Ｗａｉｔ）」を実行し、無線基地局ＮｏｄｅＢから受信される送達確認信号に基づいて、ユーザデータの伝送を行うように構成されている。
【０１０８】
また、ＨＡＲＱ処理部３３ｃ２は、Ｎａｃｋが受信された場合で、且つ、特定の送信データブロック（ユーザデータ）の再送回数が最大再送回数を下回る場合には、当該送信データブロックについての再送を行い、Ａｃｋが受信された場合、或いは、特定の送信データブロックの再送回数が最大再送回数に達している場合には、次の送信データブロックを送信する。
【０１０９】
Ｅ-ＤＰＣＣＨパワーオフセット決定部３３ｃ３は、無線基地局ＮｏｄｅＢから送信された送達確認信号（Ａｃｋ/Ｎａｃｋ/ＤＴＸ）に応じて、Ｅ-ＤＰＣＣＨパワーオフセット（エンハンスト個別物理制御チャネル（Ｅ-ＤＰＣＣＨ）と個別物理制御チャネル（ＤＰＣＣＨ）との送信電力比（送信電力オフセット））を制御するように構成されている。
【０１１０】
ここで、Ｅ-ＤＰＣＣＨパワーオフセット決定部３３ｃ３は、「ＤＴＸ」が設定されている送達確認信号を受信した場合、無線基地局ＮｏｄｅＢにおいて、エンハンスト個別物理制御チャネル（Ｅ-ＤＰＣＣＨ）の受信誤りが発生しており、エンハンスト個別物理制御チャネル（Ｅ-ＤＰＣＣＨ）の受信品質が所要の受信品質（例えば、誤り率）を満たしていないと見做す。
【０１１１】
一方、Ｅ-ＤＰＣＣＨパワーオフセット決定部３３ｃ３は、「ＡＣＫ又はＮａｃｋ」が設定されている送達確認信号を受信した場合、無線基地局ＮｏｄｅＢにおいて、エンハンスト個別物理制御チャネル（Ｅ-ＤＰＣＣＨ）の受信が成功しており、エンハンスト個別物理制御チャネル（Ｅ-ＤＰＣＣＨ）の受信品質（例えば、誤り率）が所要の受信品質を満たしていると見做す。
【０１１２】
Ｅ-ＤＰＣＣＨパワーオフセット決定部３３ｃ３は、エンハンスト個別物理制御チャネル（Ｅ-ＤＰＣＣＨ）の受信品質が所要の受信品質（例えば、誤り率１ｅ−３[ｄＢ]）を満たしていない場合、Ｅ-ＤＰＣＣＨパワーオフセットを現在の値よりも一定量（所定の制御幅）だけ高くする。
【０１１３】
一方、Ｅ-ＤＰＣＣＨパワーオフセット決定部３３ｃ３は、エンハンスト個別物理制御チャネル（Ｅ-ＤＰＣＣＨ）の受信品質が過剰である場合（例えば、エンハンスト個別物理制御チャネル（Ｅ-ＤＰＣＣＨ）の受信品質が所要の受信品質（例えば、誤り率１ｅ−３[ｄＢ]）を満たしている場合）、Ｅ-ＤＰＣＣＨパワーオフセットを現在の値よりも一定量（所定の制御幅）だけ低くする。
【０１１４】
すなわち、Ｅ-ＤＰＣＣＨパワーオフセット決定部３３ｃ３は、エンハンスト個別物理データチャネル（Ｅ-ＤＰＣＣＨ）の受信及び復号結果を示す送達確認信号（Ａｃｋ又はＮａｃｋ）を受信した場合に、Ｅ-ＤＰＣＣＨパワーオフセットを維持するか又は下げるように構成されており、所定期間内に、エンハンスト個別物理データチャネル（Ｅ-ＤＰＣＣＨ）の受信及び復号結果を示す送達確認信号を受信しない場合（例えば、送達確認信号自体を受信しない場合、又は、送達確認信号（ＤＴＸ）を受信した場合）、Ｅ-ＤＰＣＣＨパワーオフセットを上げるように構成されている。
【０１１５】
具体的には、Ｅ-ＤＰＣＣＨパワーオフセット決定部３３ｃ３は、「（エンハンスト個別物理制御チャネル（Ｅ-ＤＰＣＣＨ）の所要の受信品質）×（所定の制御幅）」に基づいて、Ｅ-ＤＰＣＣＨパワーオフセットを上げるように構成されており、「（１エンハンスト個別物理制御チャネル（Ｅ-ＤＰＣＣＨ）の所要の受信品質）×（前記所定の制御幅）」に基づいて、Ｅ-ＤＰＣＣＨパワーオフセットを下げるように構成されている。
【０１１６】
例えば、エンハンスト個別物理制御チャネル（Ｅ-ＤＰＣＣＨ）の所要の受信品質を「誤り率＝１ｅ−３[ｄＢ]」とし、所定の制御幅を「Δ」とすると、ＨＡＲＱ処理部３３ｃ２は、送達確認信号（Ａｃｋ又はＮａｃｋ）を受信した場合に、「０．９９９×Δ[ｄＢ]」だけＥ-ＤＰＣＣＨパワーオフセットを上げ、送達確認信号（ＤＴＸ）を受信した場合に、「０．９９９×Δ[ｄＢ]」だけＥ-ＤＰＣＣＨパワーオフセットを下げる。
【０１１７】
ただし、Ｅ-ＤＰＣＣＨパワーオフセット決定部３３ｃ３は、Ｅ-ＤＰＣＣＨパワーオフセットが離散的な値を取る場合には、制御したＥ-ＤＰＣＣＨパワーオフセットを離散的な値に丸め込むことができる。
【０１１８】
かかる「エンハンスト個別物理制御チャネル（Ｅ-ＤＰＣＣＨ）の所要の受信品質」及び「所定の制御幅」は、移動通信システムに固有の値であってもよいし、無線回線制御局ＲＮＣによって指示される値であってもよい。
【０１１９】
Ｅ-ＤＰＣＣＨパワーオフセット決定部３３ｃ３は、Ｅ-ＤＰＣＣＨパワーオフセット情報を用いて、Ｅ-ＤＰＣＣＨパワーオフセットの変化について、レイヤ１処理部３３ｄに通知するように構成されている。
【０１２０】
この結果、ＲＦ部３４は、ＨＡＲＱ処理部３３ｃ２から送信されたＥ-ＤＰＣＣＨパワーオフセット情報に基づいて、エンハンスト個別物理制御チャネル（Ｅ-ＤＰＣＣＨ）の送信電力を制御する。
【０１２１】
図７に示すように、レイヤ１処理部３３ｄは、ＤＰＣＣＨ  ＲＡＫＥ部３３ｄ１と、ＤＰＤＣＨ  ＲＡＫＥ部３３ｄ２と、ＲＧＣＨ  ＲＡＫＥ部３３ｄ４と、拡散部３３ｄ６と、ＦＥＣ符号化部３３ｄ７と、ＦＥＣデコーダ部３３ｄ３、３３ｄ５と、チャネルパワー設定部３３ｄ８とを具備している。
【０１２２】
ＤＰＤＣＨ  ＲＡＫＥ部３３ｄ２は、ＲＦ部３４から送信された下りリンク信号内の個別物理データチャネルＤＰＤＣＨに対して逆拡散処理及びＲＡＫＥ合成処理を施して、ＦＥＣデコーダ部３３ｄ３に出力するように構成されている。
【０１２３】
ＦＥＣデコーダ部３３ｄ３は、ＤＰＤＣＨ  ＲＡＫＥ部３３ｄ２のＲＡＫＥ合成出力に対してＦＥＣ復号処理を施して、ユーザデータを抽出してＭＡＣ-ｅ処理部３３ｃに送信するように構成されている。
【０１２４】
ＲＧＣＨ  ＲＡＫＥ部３３ｄ４は、ＲＦ部３４から送信された下りリンク信号内のレートグラントチャネルＲＧＣＨに対して逆拡散処理及びＲＡＫＥ合成処理を施して、ＦＥＣデコーダ部３３ｄ５に出力するように構成されている。
【０１２５】
ＦＥＣデコーダ部３３ｄ５は、ＲＧＣＨ  ＲＡＫＥ部３３ｄ４のＲＡＫＥ合成出力に対してＦＥＣ復号処理を施して、スケジューリング信号を抽出してＭＡＣ-ｅ処理部３３ｃに送信するように構成されている。なお、スケジューリング信号には、上りリンクにおける許容伝送速度（又は、エンハンスト個別物理データチャネル（Ｅ-ＤＰＤＣＨ）とエンハンスト個別物理制御チャネル（Ｅ-ＤＰＣＣＨ）との送信電力比）等が含まれている。
【０１２６】
ＦＥＣ符号化部３３ｄ７は、ＭＡＣ-ｅ処理部３３ｃから送信された送信フォーマット情報（Ｅ-ＴＦＣ）を用いて、ＭＡＣ-ｅ処理部３３ｃから送信されたデータに対してＦＥＣ符号化処理を施して、チャネルパワー設定部３３ｄ８に送信するように構成されている。
【０１２７】
チャネルパワー設定部３３ｄ８は、Ｅ-ＤＰＣＣＨパワーオフセット情報に基づいて、ＦＥＣ符号化部３３ｄ７から送信されたデータを送信するチャネルの送信電力を設定するように構成されている。
【０１２８】
拡散部３３ｄ６は、チャネルパワー設定部３３ｄ８から送信されたデータに対して拡散処理を施して、ＲＦ部３４に送信するように構成されている。
【０１２９】
本実施形態に係る無線回線制御局ＲＮＣは、無線基地局ＮｏｄｅＢの上位に位置する装置であり、無線基地局ＮｏｄｅＢと移動局ＵＥとの間の無線通信を制御するように構成されている。
【０１３０】
図８に示すように、本実施形態に係る無線回線制御局ＲＮＣは、交換局インターフェース５１と、ＬＬＣレイヤ処理部５２と、ＭＡＣレイヤ処理部５３と、メディア信号処理部５４と、基地局インターフェース５５と、呼制御部５６とを具備している。
【０１３１】
交換局インターフェース５１は、交換局１とのインターフェースである。交換局インターフェース５１は、交換局１から送信された下りリンク信号をＬＬＣレイヤ処理部５２に転送し、ＬＬＣレイヤ処理部５２から送信された上りリンク信号を交換局１に転送するように構成されている。
【０１３２】
ＬＬＣレイヤ処理部５２は、シーケンス番号等のヘッダ又はトレーラの合成処理等のＬＬＣ（論理リンク制御：Ｌｏｇｉｃａｌ  Ｌｉｎｋ  Ｃｏｎｔｒｏｌ）サブレイヤ処理を施すように構成されている。ＬＬＣレイヤ処理部５２は、ＬＬＣサブレイヤ処理を施した後、上りリンク信号については交換局インターフェース５１に送信し、下りリンク信号についてはＭＡＣレイヤ処理部５３に送信するように構成されている。
【０１３３】
ＭＡＣレイヤ処理部５３は、優先制御処理やヘッダ付与処理等のＭＡＣ処理を施すように構成されている。ＭＡＣレイヤ処理部５３は、ＭＡＣ処理を施した後、上りリンク信号についてはＬＬＣレイヤ処理部５２に送信し、下りリンク信号については基地局インターフェース５５（又は、メディア信号処理部５４）に送信するように構成されている。
【０１３４】
メディア信号処理部５４は、音声信号やリアルタイムの画像信号に対して、メディア信号処理を施すように構成されている。メディア信号処理部５４は、メディア信号処理を施した後、上りリンク信号についてはＭＡＣレイヤ処理部５３に送信し、下りリンク信号については基地局インターフェース５５に送信するように構成されている。
【０１３５】
基地局インターフェース５５は、無線基地局ＮｏｄｅＢとのインターフェースである。基地局インターフェース５５は、無線基地局ＮｏｄｅＢから送信された上りリンク信号をＭＡＣレイヤ処理部５３（又は、メディア信号処理部５４）に転送し、ＭＡＣレイヤ処理部５３（又は、メディア信号処理部５４）から送信された下りリンク信号を無線基地局ＮｏｄｅＢに転送するように構成されている。
【０１３６】
呼制御部５６は、呼受付制御処理や、レイヤ３シグナリングによるチャネルの設定及び開放処理等を施すように構成されている。
【０１３７】
また、呼制御部５６は、エンハンスト個別物理制御チャネル（Ｅ-ＤＰＣＣＨ）の所要の受信品質（例えば、誤り率）及び所定の制御幅の少なくとも一方を、移動局ＵＥに通知するように構成されている。
【０１３８】
（本発明の第１の実施形態に係る移動通信システムの動作）
図９乃至図１１を参照して、本発明の第１の実施形態に係る移動通信システムの動作について説明する。
【０１３９】
第１に、図９を参照して、本発明の第１の実施形態に係る移動通信システムにおける無線制御局ＮｏｄｅＢの動作について説明する。
【０１４０】
図９に示すように、ステップＳ１００１において、無線基地局ＮｏｄｅＢが、送受信アンテナ１６を介して、移動局ＵＥから送信された上りリンク信号を受信して、無線基地局ＮｏｄｅＢのアンプ部１５が、受信した上りリンク信号の受信電力を増幅する。
【０１４１】
ステップＳ１００２において、無線基地局ＮｏｄｅＢの送受信部１４が、受信した無線帯域の上りリンク信号を、ベースバンド信号に変換する。
【０１４２】
ステップＳ１００３において、無線基地局ＮｏｄｅＢのベースバンド信号処理部（上りリンク用構成）１２＃１内のＥ-ＤＰＣＣＨ  ＲＡＫＥ部１２ｃが、受信したベースバンド信号内のエンハンスト個別物理制御チャネル（Ｅ-ＤＰＣＣＨ）に対して逆拡散処理及びＲＡＫＥ合成処理を施す。
【０１４３】
ステップＳ１００４において、無線基地局ＮｏｄｅＢのベースバンド信号処理部（上りリンク用構成）１２＃１において、Ｅ-ＤＰＣＣＨデコーダ部１２ｋが、エンハンスト個別物理制御チャネルＥ-ＤＰＣＣＨに対して復号処理を施し、ＭＡＣ-ｅ機能部１２ｌが、エンハンスト個別物理制御チャネル（Ｅ-ＤＰＣＣＨ）を正しく受信及び復号したか否かについて判定する。
【０１４４】
正しく受信及び復号したと判定された場合、ステップＳ１００５において、ＭＡＣ-ｅ機能部１２ｌが、エンハンスト個別物理データチャネル（Ｅ-ＤＰＤＣＨ）に対して施したＣＲＣ誤り検出結果に基づいて送達確認信号（Ａｃｋ又はＮａｃｋ）を生成し、ベースバンド信号処理部（下りリンク用構成）１２＃２が、かかる送達確認信号（Ａｃｋ又はＮａｃｋ）を移動局ＵＥに送信する。
【０１４５】
一方、正しく受信及び復号できなかったと判定された場合、ステップＳ１００６において、ＭＡＣ-ｅ機能部１２ｌが、エンハンスト個別物理データチャネル（Ｅ-ＤＰＤＣＨ）に対してＣＲＣ誤り検出を施すことなく、送達確認信号（ＤＴＸ）を生成し、ベースバンド信号処理部（下りリンク用構成）１２＃２が、かかる送達確認信号（ＤＴＸ）を移動局ＵＥに送信する。
【０１４６】
なお、かかる場合、ＭＡＣ-ｅ機能部１２ｌは、送達確認信号（ＤＴＸ）を生成しないように構成されていてもよい。
【０１４７】
第２に、図１０及び図１１を参照して、本発明の第１の実施形態に係る移動通信システムにおける移動局ＵＥの動作について説明する。
【０１４８】
図１０に示すように、ステップＳ２００１において、移動局ＵＥのＭＡＣ-ｅ処理部３３ｃ（ＨＡＲＱ処理部３３ｃ２）は、所定送信時間間隔内で、無線基地局ＮｏｄｅＢから送達確認信号（Ａｃｋ又はＮａｃｋ）を受信したか否かについて判定する。
【０１４９】
送達確認信号（Ａｃｋ又はＮａｃｋ）が受信された場合、ステップＳ２００２において、ＭＡＣ-ｅ処理部３３ｃは、「（エンハンスト個別物理制御チャネル（Ｅ-ＤＰＣＣＨ）の所要の受信品質）×（所定の制御幅）」に基づいて、Ｅ-ＤＰＣＣＨパワーオフセットを上げる（図１１参照）。
【０１５０】
一方、送達確認信号（Ａｃｋ又はＮａｃｋ）が受信されなかった場合、ステップＳ２００３において、ＭＡＣ-ｅ処理部３３ｃは、「（エンハンスト個別物理制御チャネル（Ｅ-ＤＰＣＣＨ）の所要の受信品質）×（所定の制御幅）」に基づいて、Ｅ-ＤＰＣＣＨパワーオフセットを下げる（図１１参照）。
【０１５１】
（本発明の第１の実施形態に係る移動通信システムの作用・効果）
本発明の第１の実施形態に係る移動通信システムによれば、移動局ＵＥが、送達確認信号に応じて、無線基地局ＮｏｄｅＢにおけるエンハンスト個別物理制御チャネル（Ｅ-ＤＰＣＣＨ）の受信品質を推定し、エンハンスト個別物理制御チャネル（Ｅ-ＤＰＣＣＨ）の受信品質が所要の受信品質に達していない場合にはＥ-ＤＰＣＣＨパワーオフセットを上げ、エンハンスト個別物理制御チャネル（Ｅ-ＤＰＣＣＨ）の受信品質が過剰な受信品質になっている場合には、Ｅ-ＤＰＣＣＨパワーオフセットを下げることにより、エンハンスト個別物理制御チャネル（Ｅ-ＤＰＣＣＨ）の品質劣化によるエンハンスト個別物理データチャネル（Ｅ-ＤＰＤＣＨ）の受信誤りを低減し、さらに、過剰なＥ-ＤＰＣＣＨパワーオフセットによる回線容量の劣化を防ぐことができる。
【図面の簡単な説明】
【０１５２】
【図１】本発明の一実施形態に係る移動通信システムの無線基地局の機能ブロック図である。
【図２】本発明の一実施形態に係る移動通信システムの無線基地局のベースバンド信号処理部（上りリンク用構成）の機能ブロック図である。
【図３】本発明の一実施形態に係る移動通信システムの無線基地局のベースバンド信号処理部（上りリンク用構成）のＭＡＣ-ｅ機能部の機能ブロック図である。
【図４】本発明の一実施形態に係る移動通信システムの移動局の機能ブロック図である。
【図５】本発明の一実施形態に係る移動通信システムの移動局のベースバンド信号処理部の機能ブロック図である。
【図６】本発明の一実施形態に係る移動通信システムの移動局のベースバンド信号処理部のＭＡＣ-ｅ処理部の機能ブロック図である。
【図７】本発明の一実施形態に係る移動通信システムの移動局のベースバンド信号処理部のレイヤ１処理部の機能ブロック図である。
【図８】本発明の一実施形態に係る移動通信システムの無線回線制御局の機能ブロック図である。
【図９】本発明の一実施形態に係る移動通信システムにおいて、無線基地局がエンハンスト個別物理チャネル（Ｅ-ＤＰＣＨ）を受信した際の動作を示すフローチャートである。
【図１０】本発明の一実施形態に係る移動通信システムにおいて、移動局がエンハンスト個別物理チャネル（Ｅ-ＤＰＣＨ）の送信電力を制御する動作を示すフローチャートである。
【図１１】本発明の一実施形態に係る移動通信システムにおいて、移動局がエンハンスト個別物理チャネル（Ｅ-ＤＰＣＨ）の送信電力を制御する動作を説明するための図である。
【図１２】一般的な移動通信システムの全体構成図である。
【図１３】従来の移動通信システムにおいて、バースト的なデータを送信する際の動作を説明するための図である。
【図１４】従来の移動通信システムにおいて、上りリンクにおける伝送速度を制御する際の動作を説明するための図である。
【図１５】上り回線エンハンスメントを適用している移動通信システムにおいて用いられる上りリンクのチャネル構成を示す図である。
【図１６】従来の移動通信システムにおける再送制御処理の動作を示すシーケンス図である。
【図１７】従来の移動通信システムにおけるソフトコンバイニングを説明するための図である。
【図１８】従来の移動通信システムにおけるストップアンドウエイトを説明するための図である。
【図１９】従来の移動通信システムにおける問題点を説明するための図である。
【符号の説明】
【０１５３】
１…交換局、ＮｏｄｅＢ…無線基地局、１１…ＨＷＹインターフェース、１２、３３…ベースバンド信号処理部、１２ａ…ＤＰＣＣＨ  ＲＡＫＥ部、１２ｂ…ＤＰＤＣＨ  ＲＡＫＥ部、１２ｃ…Ｅ-ＤＰＣＣＨ  ＲＡＫＥ部、１２ｄ…Ｅ-ＤＰＤＣＨ  ＲＡＫＥ部、１２ｅ…ＨＳ-ＤＰＣＣＨ  ＲＡＫＥ部、１２ｆ…ＲＡＣＨ処理部、１２ｇ…ＴＦＣＩデコーダ部、１２ｈ、１２ｍ…バッファ、１２ｉ、１２ｎ…再逆拡散部、１２ｊ、１２ｏ、３３ｄ３、３３ｄ５…ＦＥＣデコーダ部、１２ｋ…Ｅ-ＤＰＣＣＨデコーダ部、１２ｌ…ＭＡＣ-ｅ機能部、１２ｌ１…受信処理部、１２ｌ２、３３ｃ２…ＨＡＲＱ処理部、１２ｌ３…スケジューリング部、１２ｐ…ＭＡＣ-ｈｓ機能部、１３、５６…呼制御部、１４…送受信部、１５…アンプ部、１６、３５…送受信アンテナ、ＵＥ…移動局、３１…バスインターフェース、３２…呼処理部、３４…ＲＦ部、３３ａ…ＲＬＣ処理部、３３ｂ…ＭＡＣ-ｄ処理部、３３ｃ…ＭＡＣ-ｅ処理部、３３ｃ１…Ｅ-ＴＦＣ選択部、３３ｃ３…Ｅ-ＤＰＣＣＨパワーオフセット決定部、３３ｄ…レイヤ１処理部、３３ｄ１…ＤＰＣＣＨ  ＲＡＫＥ部、３３ｄ２…ＤＰＤＣＨ  ＲＡＫＥ部、３３ｄ４…ＲＧＣＨ  ＲＡＫＥ部、３３ｄ６…拡散部、３３ｄ７…ＦＥＣ符号化部、ＲＮＣ…無線回線制御局、５１…交換局インターフェース、５２…ＬＬＣレイヤ処理部、５３…ＭＡＣレイヤ処理部、５４…メディア信号処理部、５５…基地局インターフェース
【図１】
2006140650.tif 000003
【図２】
2006140650.tif 000004
【図３】
2006140650.tif 000005
【図４】
2006140650.tif 000006
【図５】
2006140650.tif 000007
【図６】
2006140650.tif 000008
【図７】
2006140650.tif 000009
【図８】
2006140650.tif 000010
【図９】
2006140650.tif 000011
【図１０】
2006140650.tif 000012
【図１１】
2006140650.tif 000013
【図１２】
2006140650.tif 000014
【図１３】
2006140650.tif 000015
【図１４】
2006140650.tif 000016
【図１５】
2006140650.tif 000017
【図１６】
2006140650.tif 000018
【図１７】
2006140650.tif 000019
【図１８】
2006140650.tif 000020
【図１９】
2006140650.tif 000021